(57)【要約】      （修正有）【課題】眉、目、鼻、口の各パーツのサイズや配置を簡易に診断可能な美顔バランスチェックシートを提供する。【解決手段】顔写真の上に重ね合わせて、眉毛、目、鼻及び口の配列バランスを診断する美顔バランス診断チェックシート１であって、第１領域Ａと第２領域Ｂとに区分されたシート材を有し、第１領域には、横方向に所定距離ずつ等間隔に離間し縦方向に延びる４本の縦線が線引きされ、４本の縦線のうち内側２本の縦線に診断対象の顔の左右の目頭が合うサイズの顔写真を用いて、外側２本の縦線を左右の目尻との変位量を測定する基準線として顔の左右のバランスを診断し、縦方向に所定距離ずつ等間隔に離間し横方向に延びる４本の横線が線引きされ、そのうち中側２本の横線に診断対象の顔の眉頭下と鼻下とが一致するサイズの顔写真を用いて、最上位の外側横線を生え際との変位量を測定する基準線とし、最下位の外側横線を診断対象の顔のあご下の変位量を測定する基準線として顔上下のバランスを診断する。【選択図】図１
0003222515.tif 000002
【実用新案登録請求の範囲】
【請求項１】
顔写真の上に重ね合わせて使用し、眉毛、目、鼻及び口の配列バランスを診断するための美顔バランス診断チェックシートであって、
横方向に所定距離ずつ等間隔に離間し縦方向に延びる４本の縦線が線引きされており、前記４本の縦線のうち内側２本の縦線に診断対象の顔の左右の目頭が合うサイズの顔写真を用いて、外側２本の縦線は左右の目尻との変位量を測定する基準線とする、顔の左右のバランスを診断するための第１領域と、
縦方向に所定距離ずつ等間隔に離間し横方向に延びる４本の横線が線引きされており、前記４本の横線のうち中側２本の横線に診断対象の顔の眉頭下と鼻下とが一致するサイズの顔写真を用いて、最上位の外側横線は生え際との変位量を測定する基準線とし、最下位の外側横線は診断対象の顔のあご下の変位量を測定する基準線とする、顔の上下のバランスを診断するための第２領域と、
を有することを特徴とする美顔バランス診断チェックシート。
【請求項２】
前記第２領域には、顔の左右対称ラインの位置決めをするための縦方向中心線がさらに線引きされていることを特徴とする請求項１記載の美顔バランス診断チェックシート。
【請求項３】
写真を表示可能であり、かつ、表示された顔写真のサイズを調整可能な電子機器の画像表示画面に表示された写真を診断対象とする場合において、
前記第１領域の縦方向サイズ及び横方向サイズは前記画像表示画面の縦方向サイズ及び横方向サイズと等しいか又は小さく、前記第２領域の縦方向サイズ及び横方向サイズも前記画像表示画面の縦方向サイズ及び横方向サイズと等しいか又は小さいことを特徴とする請求項１又は２に記載の美顔バランス診断チェックシート。
【請求項４】
前記電子機器はスマートフォンであることを特徴とする請求項３に記載の美顔バランス診断チェックシート。
【考案の詳細な説明】
【技術分野】
【０００１】
本考案は、顔写真を用いて、顔の眉、目、鼻、口の各パーツの配置バランスを診断するための美顔バランスチェックシートに関する。
【背景技術】
【０００２】
メイク（化粧）をすることでより魅力的で美しい顔に仕上げることができ、また自身の個性を生かすことができることから、メイクは特に女性においては当然のように行われている。
【０００３】
メイクは、眉、目、鼻、口の各パーツの大きさや配置に応じた仕様で行うのが効果的であるとされている。顔の各パーツの大きさや配置バランスについては、黄金比に依拠した理想的な基準が美容業界において提示されている。この理想的基準に対して自分の顔がどのような関係にあるかを知ることにより、自分の顔の評価をすることができる。評価結果に基づき、黄金比に近いような見え方のメイクをすれば、より美しく魅力的な顔とすることができるし、また各自の個性に応じた新しい自分の演出が可能となる。
【考案の概要】
【考案が解決しようとする課題】
【０００４】
顔の評価をするには、目の大きさや左右両目の目じり間距離などを含む複数個所を実測する必要がある。立体形状で凹凸のある顔を測定対象とすることは、測定自体が面倒かつ困難であり、測定結果の精度についても正確を期することはできない。
【０００５】
本考案は、斯かる実情に鑑み、顔の各パーツの配置バランスを簡易な方法で評価可能にすることを目的としている。
【課題を解決するための手段】
【０００６】
本考案の美顔バランス診断チェックシートは、顔写真の上に重ね合わせて使用し、眉毛、目、鼻及び口の配列バランスを診断するための美顔バランス診断チェックシートであって、横方向に所定距離ずつ等間隔に離間し縦方向に延びる４本の縦線が線引きされており、前記４本の縦線のうち内側２本の縦線に診断対象の顔の左右の目頭が合うサイズの顔写真を用いて、外側２本の縦線は左右の目尻との変位量を測定する基準線とする、顔の左右のバランスを診断するための第１領域と、縦方向に所定距離ずつ等間隔に離間し横方向に延びる４本の横線が線引きされており、前記４本の横線のうち中側２本の横線に診断対象の顔の眉頭下と鼻下とが一致するサイズの顔写真を用いて、最上位の外側横線は生え際との変位量を測定する基準線とし、最下位の外側横線は診断対象の顔のあご下の変位量を測定する基準線とする、顔の上下のバランスを診断するための第２領域と、を有する。
【０００７】
好ましくは、前記第２領域には、顔の左右対称ラインの位置決めをするための縦方向中心線がさらに線引きされている。
【０００８】
好ましくは、写真を表示可能であり、かつ、表示された顔写真のサイズを調整可能な電子機器の画像表示画面に表示された写真を診断対象とする場合において、前記第１領域の縦方向サイズ及び横方向サイズは前記画像表示画面の縦方向サイズ及び横方向サイズと等しいか又は小さく、前記第２領域の縦方向サイズ及び横方向サイズも前記画像表示画面の縦方向サイズ及び横方向サイズと等しいか又は小さい。
【０００９】
好ましくは、前記電子機器はスマートフォンである。
【考案の効果】
【００１０】
本考案の美顔バランス診断チェックシートによれば、顔写真を利用して、顔の各パーツの配置バランスを簡単に評価することができる。
【図面の簡単な説明】
【００１１】
【図１】本考案の実施の形態に係る美顔バランスチェックシートを示した図。
【図２】スマートフォンに表示された顔写真を対象とし、図１に示された美顔バランスチェックシートを用いて、顔の上下のバランスを診断する方法を説明した図。
【図３】顔写真の上に図１に示された美顔バランスチェックシートを重ね合わせ、顔の左右のバランスを診断する方法を説明した図。
【図４】顔写真の上に図１に示された美顔バランスチェックシートを重ね合わせ、顔の上下のバランスを診断する方法を説明した図。
【考案を実施するための形態】
【００１２】
以下、本考案の実施の形態を添付図面を参照して説明する。
【００１３】
図１に、本考案の実施の形態である美顔バランス診断チェックシート（以下、「チェックシート１」という。）１を示す。チェックシート１は、顔の眉、目、鼻、口の配置バランスを知るためのものであり、写真に重ね合わせて使用する。写真は、紙等の媒体にプリントアウトされたものでもよいが、本実施の形態では、図２に示すようにスマートフォン２に表示された顔写真を対象にスマートフォン２の画面３に重ね合わせて使用するのが好適である。以下の説明では、写真を対象に左、右と言及するが、本人からみれば左右は逆の関係にあることになる。
【００１４】
本実施の形態では、スマートフォン２に表示された写真を診断対象としているが、スマートフォン２に限らず写真を表示可能であり、かつ、表示された顔写真のサイズを調整可能な電子機器であればよい。
【００１５】
チェックシート１は、図１に示すように、長方形で、正面視長手方向を縦方向に向けて使用する。チェックシート１は、透明で、厚さが１ｍｍ以下の可撓性のあるシート材であって、図１に示したような説明用文字列と、点線が縦横それぞれ４本ずつ印刷されている。なお、図中、ｄ１、ｄ２、Ａ１、Ａ２、Ａ３、Ａ４，Ｂ１、Ｂ２、Ｂ３，Ｂ４及びＣは、チェックシート１を説明するための参照符号であり、チェックシート１には印刷されていない。
【００１６】
チェックシート１は、横方向に伸びる仮想線Ｌ0によって上下に二分され、上側部分を第１領域Ａ、下側部分を第２領域Ｂとする。第１領域Ａは、左右の目の位置から顔の左右のバランスを診断するための領域であり、第２領域Ｂは、生え際、眉、鼻及びあごの位置から顔の上下のバランスを診断するための領域である。
【００１７】
第１領域Ａには、左側から順に、縦線Ａ１、第２縦線Ａ２、第３縦線Ａ３、第４縦線Ａ４が、それぞれ縦方向に互いに平行に伸びると共に、横方向に等間隔に離間して線引きされている。各縦線間の間隔はｄ１である。また、各縦線は点線で示してあるが、実線や一点鎖線等でもよい。４本の縦線のうち、内側に位置する２本の縦線Ａ２，Ａ３は、診断対象の顔の左右の目の目頭に合わせるための位置合わせ用の線である。外側に位置する縦線Ａ１、Ａ４は、顔の左右の目の目尻の位置を評価するための基準線である。
【００１８】
上述の通り、顔の左右のバランスは両目の位置を対象に診断する。４本の縦線Ａ１、Ａ２、Ａ３、Ａ４は等間隔（ｄ１）に配列されているので、縦線の間隔は１：１：１となる。左右の目頭間距離と、左右の目の長さ、すなわち、目頭と目尻との間の長さとが同じ長さである場合が、左右のバランスが取れているとされ、美容業界では上記の比が黄金比とされる。
【００１９】
顔の左右のバランスを診断するには、チェックシート１の領域Ａを顔写真のうち両目を含む部分に適用する。図３に示されているように、縦線Ａ２，Ａ３に診断対象の顔写真の左と右との目の目頭に合わせる。左右の目の目頭を縦線Ａ２とＡ３とに合致させるには、スマートフォンを操作して画像を適宜拡大または縮小する。左右の目頭の位置が縦線Ａ２，Ａ３に位置合わせされた状態で、写真の左側目尻の位置が基準線である縦線Ａ１に対して内側に位置するか外側に位置するかを視認し、内側であれば（-）、外側であれば（+）とし、これを顔の左右のバランスの評価結果とする。
【００２０】
図１に戻ると、第２領域Ｂには、上から順に、第１横線Ｂ１、第２横線Ｂ２、第３横線Ｂ３、第４横線Ｂ４が、それぞれ横方向に互いに平行に伸びると共に、縦方向に等間隔に離間して線引きされている。各横線間の間隔はｄ２である。４本の横線のうち、内側に位置する２本の横線Ｂ２，Ｂ３のうち、横線Ｂ２は診断対象の顔の眉下に合わせる位置決め用の線であり、横線Ｂ３は診断対象の顔の鼻下に合わせる位置決め用の線である。外側に位置する横線のうち、横線Ｂ１は、顔の生え際の位置を評価するための基準線であり、横線Ｂ４は、あご下の位置を評価するための基準線である。
【００２１】
上述の通り、４本の横線Ｂ１、Ｂ２、Ｂ３、Ｂ４は、等間隔（ｄ２）に配列されているので、横線の間隔は１：１：１となる。生え際の位置から眉頭下までの長さと、眉頭下から鼻下までの長さと、鼻下からあご下までの長さとが同じ長さである場合が、上下のバランスが取れているとされ、美容業界では上記の比が黄金比とされる。
【００２２】
顔の上下のバランスを診断するには、チェックシート１の領域Ｂを顔写真全体に適用する。図４に示されているように、横線Ｂ２，Ｂ３に診断対象の顔の眉頭下及び鼻下を合わせる。眉頭下及び鼻下を横線Ｂ２とＢ３とに合致させるには、スマートフォンを操作して画像を適宜拡大または縮小する。この時の拡大、縮小の程度は、図３に示した両目の位置を基準とする左右のバランスを診断する際の画像の縮小拡大倍率とは異なる。図３に示した写真の方が図４に示した写真より拡大倍率が高くなっている。これは、図４に示した写真を対象に左右のバランスを評価するより、図３に示した拡大された写真を対象に左右のバランスを評価した方がより正確な診断結果が得られるためである。
【００２３】
眉頭下の位置が横線Ｂ２に、鼻下の位置が横線Ｂ３にそれぞれ位置合わせされた状態で、生え際の位置が基準線である横線Ｂ１に対して内側に位置するか外側に位置するかを視認し、内側であれば（-）、外側であれば（+）とし、これを顔の上側位置の評価結果とする。
【００２４】
また、あご下の位置が基準線である横線Ｂ４に対して内側に位置するか外側に位置するかを視認し、内側であれば（-）、外側であれば（+）とし、これを顔の下側位置の評価結果とする。図４に示した例では、生え際の位置は理想的なラインＢ１上にあるが、あご下の位置は基準線Ｂ４のよりわずかに内側になっているため（-）の評価となる。
【００２５】
上記のようにして得られた評価結果は、予め準備されている、例えば、１５通りにパターンのいずれかに分類され、別途分類されたパターンに応じた適切なメイクが提案されている。
【００２６】
本実施の形態では、チェックシート１をスマートフォン２に表示された顔写真を対象に診断を行うため、縦線Ａ１から縦線Ａ４までの長さは、一般的なスマートフォン２の画面の横方向長さよりも短くなるように、また横線Ｂ１からＢ４までの長さはスマートフォン２の画面縦方向長さよりも短くなるように設定されている。このように４本の縦線と４本の横線とがそれぞれスマートフォン２の表示画面に収まるように、縦線間隔ｄ１と横線間隔ｄ２とを設定する。
【００２７】
以上説明したように、本考案によれば、チェックシート１を顔写真の上に重ね合わせるだけで、顔のパーツの左右のバランスと上下のバランスとを簡易に診断することができる。
【符号の説明】
【００２８】
１  美顔バランス診断チェックシート
２  スマートフォン
３  表示画面
Ａ  第１領域
Ｂ  第２領域
【図１】
0003222515.tif 000003
【図２】
0003222515.tif 000004
【図３】
0003222515.tif 000005
【図４】
0003222515.tif 000006
【手続補正書】
【提出日】令和1年5月29日(2019.5.29)
【手続補正１】
【補正対象書類名】実用新案登録請求の範囲
【補正対象項目名】全文
【補正方法】変更
【補正の内容】
【実用新案登録請求の範囲】
【請求項１】
顔写真の上に重ね合わせて使用し、眉毛、目、鼻及び口の配列バランスを診断するための美顔バランス診断チェックシートであって、
第１領域と第２領域とに区分されたシート材を有し、
前記第１領域には、横方向に所定距離ずつ等間隔に離間し縦方向に延びる４本の縦線が線引きされており、
前記４本の縦線のうち内側２本の縦線に診断対象の顔の左右の目頭が合うサイズの顔写真を用いて、外側２本の縦線を左右の目尻との変位量を測定する基準線として顔の左右のバランスを診断し、
前記第２領域には、縦方向に所定距離ずつ等間隔に離間し横方向に延びる４本の横線が線引きされており、
前記４本の横線のうち中側２本の横線に診断対象の顔の眉頭下と鼻下とが一致するサイズの顔写真を用いて、最上位の外側横線を生え際との変位量を測定する基準線とし、最下位の外側横線を診断対象の顔のあご下の変位量を測定する基準線として顔の上下のバランスを診断することを特徴とする美顔バランス診断チェックシート。
【請求項２】
前記第２領域には、顔の左右対称ラインの位置決めをするための縦方向中心線がさらに線引きされていることを特徴とする請求項１記載の美顔バランス診断チェックシート。
【請求項３】
写真を表示可能であり、かつ、表示された顔写真のサイズを調整可能な電子機器の画像表示画面に表示された写真を診断対象とする場合において、
前記第１領域の縦方向サイズ及び横方向サイズは前記画像表示画面の縦方向サイズ及び横方向サイズと等しいか又は小さく、前記第２領域の縦方向サイズ及び横方向サイズも前記画像表示画面の縦方向サイズ及び横方向サイズと等しいか又は小さいことを特徴とする請求項１又は２に記載の美顔バランス診断チェックシート。
【請求項４】
前記電子機器はスマートフォンであることを特徴とする請求項３に記載の美顔バランス診断チェックシート。
【手続補正２】
【補正対象書類名】明細書
【補正対象項目名】０００６
【補正方法】変更
【補正の内容】
【０００６】
本考案の美顔バランス診断チェックシートは、顔写真の上に重ね合わせて使用し、眉毛、目、鼻及び口の配列バランスを診断するための美顔バランス診断チェックシートであって、第１領域と第２領域とに区分されたシート材を有し、前記第１領域には、横方向に所定距離ずつ等間隔に離間し縦方向に延びる４本の縦線が線引きされており、前記４本の縦線のうち内側２本の縦線に診断対象の顔の左右の目頭が合うサイズの顔写真を用いて、外側２本の縦線を左右の目尻との変位量を測定する基準線として顔の左右のバランスを診断し、前記第２領域には、縦方向に所定距離ずつ等間隔に離間し横方向に延びる４本の横線が線引きされており、前記４本の横線のうち中側２本の横線に診断対象の顔の眉頭下と鼻下とが一致するサイズの顔写真を用いて、最上位の外側横線を生え際との変位量を測定する基準線とし、最下位の外側横線を診断対象の顔のあご下の変位量を測定する基準線として顔の上下のバランスを診断する。